(57)【特許請求の範囲】
【請求項１】
検査対象および検査内容に関する検査情報と前記検査情報に関連する検査情報とを入力する検査内容入力部と、
前記検査内容入力部の入力した検査情報および図面情報の配置パターンと表示形式を規定するテンプレートをデータベースから読み出し、前記読み出したテンプレートに前記検査内容入力部の入力した検査情報を埋めることで検査シートを生成する検査シート生成部と、
を有する検査シート生成装置と、
前記検査シート生成部の生成した検査シートに基づいて検査情報および図面情報を表示する表示部と、
前記表示部に表示された図面情報に従って前記検査シートに含まれる検査対象の中から所望の検査対象を選択する検査対象選択部と、
前記検査対象選択部の選択した検査対象の検査内容に対応する検査結果を入力する検査結果入力部と、
前記検査対象選択部の選択した検査対象の撮影ポイントを入力する撮影ポイント入力部と、
前記検査対象を被写体とした画像を撮影可能な撮影部と、
前記検査対象選択部の選択した検査対象と前記検査結果入力部の入力した検査結果と前記撮影ポイント入力部の入力した撮影ポイントと前記撮影部の撮影した画像である検査写真とを対応づけた検査結果データを記憶する記憶部と、
を有する携帯端末と、
前記記憶部に記憶された検査結果データで前記検査シートを埋め、所定の表示形式または帳票形式に変換した検査レポートを出力する出力部と、
を備える検査システム。
【請求項２】
前記記憶部に記憶された検査結果データに含まれる検査結果に応じて検査結果の再入力および前記検査写真の再撮影を誘導する再検査部を備える請求項１に記載の検査システム。
【請求項３】
前記再検査部は、前記記憶部に記憶された検査結果データに含まれる検査写真と前記撮影部から得られる画角確認画像の双方を前記表示部に表示する請求項２に記載の検査システム。
【請求項４】
前記記憶部に記憶された検査結果データに含まれる検査結果に応じて前記検査結果を所定の通信機器に通知する通知部を備える請求項１〜３のいずれかに記載の検査システム。
【請求項５】
前記検査内容入力部が入力する図面情報は見取り図面および前記見取り図面上での位置情報が付与された検査対象の部材図面を含み、
前記検査対象選択部は、前記見取り図面上の検査対象の位置を指定することで検査対象を選択し、
前記表示部は、前記検査対象選択部の選択した検査対象の部材図面を表示する請求項１〜４のいずれかに記載の検査システム。
【請求項６】
前記検査内容入力部が入力する検査情報は前記部材図面上に配置された撮影ポイントのパターンを含み、
前記撮影ポイント入力部は、前記表示部の表示した部材図面上に設けられた撮影ポイントのパターンから所望の撮影ポイントを選択させることで撮影ポイントを入力する請求項５に記載の検査システム。
【請求項７】
前記テンプレートは、検査種類および検査箇所と見取り図面とを相互に参照可能にする第１のリンク情報、検査情報に含まれる各検査対象部材に対応する部材図面と見取り図面上での各検査対象部材の位置情報とを相互に参照可能にする第２のリンク情報、各検査対象部材とそれらの検査結果とを相互に参照可能にする第３のリンク情報、同一の検査箇所に対応する複数の検査写真を相互に参照可能にする第４のリンク情報を含む請求項５または６に記載の検査システム。
【請求項８】
前記テンプレートはマークアップ言語で定義される請求項７に記載の検査システム。
【請求項９】
前記検査シート生成部は検査種類および検査対象に応じたテンプレートをデータベースから読み出す請求項１〜８のいずれかに記載の検査システム。
【発明の詳細な説明】
【技術分野】
【０００１】
本発明は、施工検査業務を支援するシステムに関する。
【背景技術】
【０００２】
ビル建設などの工事における施工検査業務、例えば配筋検査と呼ばれる鉄筋の配置状況をチェックする検査に関して、これを効率的に行うためのシステムが従来開発されている。
【０００３】
特許文献１では、物件情報、施工検査工程、施工検査結果及び工事進捗状況等を入力する入力手段と、入力された情報の保存及び管理を行う記憶手段と、PC等の端末から通信ネットワークを介してサーバと通信する通信手段と、検査結果として用いる写真の精選処理や検査結果等の申請・承認処理などを行う情報処理手段と、検査結果や工事の進捗状況等を閲覧できる表示手段と、「品質監理報告書」を出力することのできる印刷手段とを備えた品質管理システムを利用する。
【０００４】
特許文献２では、物件検査用携帯端末装置は、建築工事の対象となる物件について、その検査を行なう担当者が所持する。端末装置には、端末装置自身の地理的な位置情報を測定する位置測定器（ＧＰＳ）が設けられている。端末装置には、あらかじめホストコンピュータから、現場検査支援情報がダウンロードされている。検査担当者が現場に到着し、物件の検査を開始するとき、位置測定器がその現場の位置を測定して、自動的に該当する物件の現場検査支援情報を取り出して携帯端末装置に表示する。
【０００５】
特許文献３では、全工区記憶手段の建造物の全工区図面を液晶表示手段に表示し、この全工区平面図上の任意１つの工区をタッチペンでタッチして、個別通り芯図面記憶手段の通り芯平面図を液晶表示手段に表示し、検査部位項目の１つをタッチペンで指示することで、配筋検査部位の配置場所を液晶表示手段の通り芯平面図上にプロット表示し、この配筋検査部位の任意１つをタッチペンでタッチすることによりチェック項目を液晶表示手段に表示し、その後、チェック項目毎に配筋検査部位の配筋工事状態を確認しながらチェックし、そのチェック結果に応じた判定結果をタッチペンによりチェック項目表示画面の判定欄に表示する構成にした。
【０００６】
特許文献４では、検査員が携行する検査データ入力装置として汎用電子手帳を使用し、汎用パソコンで作成編集した検査用図面および検査用マスタデータを電子手帳にダウンロードし、この電子手帳の画面上で、図面に直接ペンタッチにより検査データを入力し、検査終了後、電子手帳のＩＣメモリカードに記憶された検査データ（不具合部位、不具合部品、不具合状況、業者を表す）をパソコンで処理し、各種帳票を印刷出力するように構成される。
【０００７】
非特許文献１では、ＰＤＡに検査箇所の配筋図と確認事項を表示し、検査箇所ごとに配筋写真を管理し、キープラン、配筋図、工事写真を含む報告書を作成するとする。
【先行技術文献】
【特許文献】
【０００８】
【特許文献１】特開２００８−１４６１０７号公報
【特許文献２】特開２００２−７３７４０公報
【特許文献３】特開平１０−２５８９５号公報
【特許文献４】特開平７−２５４０２０公報
【非特許文献】
【０００９】
【非特許文献１】大林組技術研究所生産技術研究部「配筋検査システム−携帯端末と写真理機能で配筋検査を支援−」、インターネットＵＲＬ［http://www.obayashi.co.jp/technology/shoho/pdf/leeflet/3-217.pdf］、平成２１年５月１４日検索
【発明の概要】
【発明が解決しようとする課題】
【００１０】
実際の検査の検査写真撮影においては、次のような問題がある。すなわち、検査時に撮影する検査写真の撮影ポイント（どの位置から、どの方向で）は、事前に図面上だけでは決められない。そのため、検査時に現場の状況を確認して、検査担当者の判断で撮影ポイントを決定し、記入しなければならない。検査写真の管理の容易性と信憑性を確保するには、検査写真ごとに対応する撮影ポイントを記録しておく必要があるが、検査者がこれを現場で簡易に入力できる仕組みが求められる。この点、従来技術では、携帯情報端末から行う撮影ポイントの入力と検査写真の撮影の連携に関して、上記の問題を解決していない。
【００１１】
本発明は、検査者が撮影ポイントの入力、検査写真の撮影、検査写真と撮影ポイントの関連づけを現場で簡易に入力できるようにする。
【課題を解決するための手段】
【００１２】
本発明は、検査対象および検査内容に関する検査情報と検査情報に関連する図面情報とを入力する検査内容入力部と、検査内容入力部の入力した検査情報および図面情報に基づいて検査シートを生成する検査シート生成部と、を有する検査シート生成装置と、検査シート生成部の生成した検査シートに基づいて検査情報および図面情報を表示する表示部と、表示部に表示された図面情報に従って検査シートに含まれる検査対象の中から所望の検査対象を選択する検査対象選択部と、検査対象選択部の選択した検査対象の検査内容に対応する検査結果を入力する検査結果入力部と、検査対象選択部の選択した検査対象の撮影ポイントを入力する撮影ポイント入力部と、検査対象を被写体とした画像を撮影可能な撮影部と、検査対象選択部の選択した検査対象と検査結果入力部の入力した検査結果と撮影ポイント入力部の入力した撮影ポイントと撮影部の撮影した画像である検査写真とを対応づけた検査結果データを記憶する記憶部と、を有する携帯端末と、を備える検査システムを提供する。
【００１３】
記憶部に記憶された検査結果データを所定の表示形式または帳票形式に変換した検査レポートを出力する出力部を備える。
【００１４】
記憶部に記憶された検査結果データに含まれる検査結果に応じて検査結果の再入力および証拠写真の再撮影を誘導する再検査部を備える。
【００１５】
再検査部は、記憶部に記憶された検査結果データに含まれる検査写真と撮影部から得られる画角確認画像の双方を表示部に表示する。
【００１６】
記憶部に記憶された検査結果データに含まれる検査結果に応じて検査結果を所定の通信機器に通知する通知部を備える。
【００１７】
検査内容入力部が入力する図面情報は見取り図面および見取り図面上での位置情報が付与された検査対象の部材図面を含み、検査対象選択部は、見取り図面上の検査対象の位置を指定することで検査対象を選択し、表示部は、検査対象選択部の選択した検査対象の部材図面を表示する。
【００１８】
検査内容入力部が入力する検査情報は部材図面上に配置された撮影ポイントのパターンを含み、撮影ポイント入力部は、表示部の表示した部材図面上に設けられた撮影ポイントのパターンから所望の撮影ポイントを選択させることで撮影ポイントを入力する。
【００１９】
本発明は、検査対象および検査内容に関する検査情報と検査情報に関連する図面情報を含む検査シートに基づいて検査情報および図面情報を表示する表示部と、表示部に表示された図面情報に従って検査シートに含まれる検査対象の中から所望の検査対象を選択する検査対象選択部と、検査対象選択部の選択した検査対象の検査内容に対応する検査結果を入力する検査結果入力部と、検査対象選択部の選択した検査対象の撮影ポイントを入力する撮影ポイント入力部と、検査対象を被写体とした画像を撮影可能な撮影部と、検査対象選択部の選択した検査対象と検査結果入力部の入力した検査結果と撮影ポイント入力部の入力した撮影ポイントと撮影部の撮影した画像である検査写真とを対応づけた検査結果データを記憶する記憶部と、を備える携帯端末を提供する。
【００２０】
本発明は、携帯端末が、検査対象および検査内容に関する検査情報と検査情報に関連する図面情報を含む検査シートに基づいて検査情報および図面情報を表示するステップと、表示された図面情報に従って検査シートに含まれる検査対象の中から所望の検査対象を選択するステップと、選択した検査対象の検査内容に対応する検査結果を入力するステップと、選択した検査対象の撮影ポイントを入力するステップと、検査対象を被写体とした画像を撮影するステップと、選択した検査対象と入力した検査結果と入力した撮影ポイントと撮影した画像である検査写真とを対応づけた検査結果データを記憶するステップと、を実行する検査方法を提供する。
【００２１】
この検査方法を携帯端末に実行させるための検査プログラムも本発明に含まれる。
【発明の効果】
【００２２】
本発明によると、検査シート作成、検査結果の入力、検査写真の撮影、帳票の出力という一連の検査作業を、検査シート生成装置および携帯端末を用いて容易に行える。特に、検査ポイントの入力、検査結果の入力および検査写真の撮影、あるいは再撮影は携帯端末を用いて行えるため、検査現場での携帯性と操作性が高い。
【図面の簡単な説明】
【００２３】
【図１】検査システムの概略構成図
【図２】検査システムの処理内容の概要を示す図
【図３】カメラ付き携帯端末のブロック図
【図４】検査シート生成処理のフローチャート
【図５】検査業務処理のフローチャート
【図６】部材図面の表示例を示す図
【図７】再検査処理のフローチャート
【図８】伏図の表示例を示す図
【図９】ＸＭＬタグによる検査シートの定義の一例を示す図
【図１０】検査情報の定義の一例を示す図
【図１１】現場情報の定義の一例を示す図
【図１２】検査ポイント情報の定義の一例を示す図
【図１３】撮影ポイント情報の定義の一例を示す図
【図１４】検査写真情報の定義の一例を示す図
【図１５】検査レポート作成画面の一例を示す図
【図１６】検査レポート出力画面の一例を示す図
【図１７】本システムの適用例（建設現場の検査）の概念説明図
【図１８】本システムの適用例（電信柱の保守点検）の概念説明図
【図１９】本システムの適用例（プラントの保守点検）の概念説明図
【発明を実施するための形態】
【００２４】
図１は本発明の好ましい実施形態に係る検査システムの概略構成を示す。このシステムは、サーバ１、パソコン（ＰＣ）２、カメラ付き携帯端末３を含む。サーバ１、パソコン２、カメラ付き携帯端末３、プリンタ４は、移動体通信網、インターネットおよびＬＡＮなどで構築されたネットワーク５を介して相互に接続可能である。
【００２５】
サーバ１は、検査情報を一元的に検査情報ＤＢ１ａにて管理する。サーバ１およびパソコン２は、コンピュータ（ＣＰＵ，ＲＡＭ，ＲＯＭなど演算処理に必要な回路、データ記憶媒体、データ入出力回路、表示回路、操作装置、通信回路などを備えたもの）で構成することができる。検査情報ＤＢ１ａは、ハードディスクユニットのような大容量記憶媒体で構成することができる。
【００２６】
検査情報ＤＢ１ａに蓄積される検査情報は、工事物件名、検査図面、検査種類（配筋検査など）、検査箇所（建物の階数など）、検査対象（柱、梁、壁など）、検査項目（種類、数、ピッチなど）、検査ポイント（柱の断面を外側から囲む等間隔で配置された点など）を含む。検査図面は、見取り図面（伏図や現場地図）、部材図面（配筋図、断面図など）を含み、部材図面および検査対象は、見取り図面に配置された各部材の位置に対応づけられている。
【００２７】
以下の説明において、「任意点検査」とは、携帯端末３で検査図面を表示し、その検査図面上の任意の検査箇所を指定して、指定された検査箇所に対応する検査結果と検査写真とを携帯端末３で取得し、それらを対応づけて所定の記憶媒体（検査情報ＤＢ１ａなど）に保存する処理をいう。また、「定点検査」とは、携帯端末３で検査図面を表示し、その検査図面上で予め規定された検査箇所の中から任意の検査箇所を指定して、指定された検査箇所に対応する検査結果と検査写真とを携帯端末３で取得し、それらを対応づけて所望の記憶媒体に保存する処理をいう。
【００２８】
図２は検査システムの処理内容の概要を示す。このシステムでは、検査シートの生成（Ｓｔｅｐ１）、検査結果の入力および検査写真の撮影（Ｓｔｅｐ２）、検査結果の帳票出力（Ｓｔｅｐ３）が実行される。これらの処理の具体的流れは後述する。
【００２９】
図３は、カメラ付き携帯端末３の構成を例示する。カメラ付き携帯端末３全体の動作は中央処理装置（ＣＰＵ）３０によって統括制御される。ＣＰＵ３０は、所定のプログラムに従って動作を制御する制御手段として機能するとともに、自動露出（ＡＥ）演算、自動焦点調節（ＡＦ）演算、ホワイトバランス（ＷＢ）調整演算など、各種演算を実施する演算手段として機能する。
【００３０】
バス３２を介してＣＰＵ３０と接続されたＲＯＭ３４には、ＣＰＵ３０が実行するプログラム及び制御に必要な各種データ等が格納され、ＥＥＰＲＯＭ３６には、ＣＣＤ画素欠陥情報、カメラ動作に関する各種定数／情報等が格納されている。
【００３１】
また、メモリ（ＳＤＲＡＭ）３８は、プログラムの展開領域及びＣＰＵ３０の演算作業用領域として利用されるとともに、画像データや音声データの一時記憶領域として利用される。ＶＲＡＭ４０は画像データ専用の一時記憶メモリであり、Ａ領域４０ＡとＢ領域４０Ｂが含まれている。メモリ３８とＶＲＡＭ４０は共用することが可能である。
【００３２】
カメラ付き携帯端末３にはモード選択スイッチ４２、撮影ボタン４４、その他、メニュー／ＯＫキー、十字キー、キャンセルキーなどの操作手段４６が設けられている。これら各種の操作部（４２〜４６）からの信号はＣＰＵ３０に入力され、ＣＰＵ３０は入力信号に基づいてカメラ付き携帯端末３の各回路を制御し、例えば、レンズ駆動制御、撮影動作制御、画像処理制御、画像データの記録／再生制御、画像表示装置４８の表示制御などを行う。
【００３３】
モード選択スイッチ４２は、撮影モードと再生モードとを切り換えるための操作手段である。モード選択スイッチ４２を操作して可動接片４２Ａを接点ａに接続させると、その信号がＣＰＵ３０に入力され、カメラ付き携帯端末３は撮影モードに設定され、可動接片４２Ａを接点ｂに接続させると、カメラ付き携帯端末３は記録済みの画像を再生する再生モードに設定される。
【００３４】
撮影ボタン４４は、撮影開始の指示を入力する操作ボタンであり、半押し時にＯＮするＳ１スイッチと、全押し時にＯＮするＳ２スイッチとを有する二段ストローク式のスイッチで構成されている。
【００３５】
画像表示装置４８は、カラー表示可能な液晶ディスプレイで構成されている。画像表示装置４８は、撮影時に画角確認用の電子ファインダとして使用できるとともに、記録済み
画像を再生表示する手段として利用される。また、画像表示装置４８は、ユーザインターフェース用表示画面としても利用され、必要に応じてメニュー情報や選択項目、設定内容などの情報が表示される。
【００３６】
モード選択スイッチ４２によって撮影モードが選択されると、カラーＣＣＤ固体撮像素子（以下ＣＣＤと記載）５０を含む撮像部に電源が供給され、撮影可能な状態になる。
【００３７】
レンズユニット６０は、フォーカスレンズを含む撮影レンズ６２と絞り兼用メカシャッター６４とを含む光学ユニットである。レンズユニット６０は、ＣＰＵ３０によって制御されるレンズ駆動部６６、絞り駆動部６８によって電動駆動され、ズーム制御、フォーカス制御及びアイリス制御が行われる。
【００３８】
レンズユニット６０を通過した光は、ＣＣＤ５０の受光面に結像される。ＣＣＤ５０の受光面には多数のフォトダイオード（受光素子）が二次元的に配列されており、各フォトダイオードに対応して赤（Ｒ）、緑（Ｇ）、青（Ｂ）の原色カラーフィルタが所定の配列構造（ベイヤー、Ｇストライプなど）で配置されている。また、ＣＣＤ５０は、各フォトダイオードの電荷蓄積時間（シャッタースピード）を制御する電子シャッター機能を有している。ＣＰＵ３０は、タイミングジェネレータ７０を介してＣＣＤ５０での電荷蓄積時間を制御する。尚、ＣＣＤ５０に代えてＭＯＳ型など他の方式の撮像素子を用いてもよい。
【００３９】
ＣＣＤ５０の受光面に結像された被写体像は、各フォトダイオードによって入射光量に応じた量の信号電荷に変換される。各フォトダイオードに蓄積された信号電荷は、ＣＰＵ３０の指令に従いタイミングジェネレータ７０から与えられる駆動パルスに基づいて信号電荷に応じた電圧信号（画像信号）として順次読み出される。
【００４０】
ＣＣＤ５０から出力された信号はアナログ処理部（ＣＤＳ／ＡＭＰ）７２に送られ、ここで画素ごとのＲ，Ｇ，Ｂ信号がサンプリングホールド（相関二重サンプリング処理）され、増幅された後、Ａ／Ｄ変換器７４に加えられる。Ａ／Ｄ変換器７４によってデジタル信号に変換された点順次のＲ，Ｇ，Ｂ信号は、画像入力コントローラ７６を介してメモリ３８に記憶される。
【００４１】
画像信号処理回路７８は、メモリ３８に記憶されたＲ，Ｇ，Ｂ信号をＣＰＵ３０の指令に従って処理する。即ち、画像信号処理回路７８は、同時化回路（単板ＣＣＤのカラーフィルタ配列に伴う色信号の空間的なズレを補間して色信号を同時式に変換する処理回路）、ホワイトバランス補正回路、ガンマ補正回路、輪郭補正回路、輝度・色差信号生成回路等を含む画像処理手段として機能し、ＣＰＵ３０からのコマンドに従ってメモリ３８を活用しながら所定の信号処理を行う。
【００４２】
画像信号処理回路７８に入力されたＲＧＢの画像データは、画像信号処理回路７８において輝度信号（Ｙ信号）及び色差信号（Ｃr,Ｃb 信号）に変換されるとともに、ガンマ補正等の所定の処理が施される。画像信号処理回路７８で処理された画像データはＶＲＡＭ４０に格納される。
【００４３】
撮影画像を画像表示装置４８にモニタ出力する場合、ＶＲＡＭ４０から画像データが読み出され、バス３２を介してビデオエンコーダ８０に送られる。ビデオエンコーダ８０は、入力された画像データを表示用の所定方式の信号（例えば、ＮＴＳＣ方式のカラー複合映像信号）に変換して画像表示装置４８に出力する。
【００４４】
ＣＣＤ５０から出力される画像信号によって、１コマ分の画像を表す画像データがＶＲＡＭ４０のＡ領域４０ＡとＢ領域４０Ｂとで交互に書き換えられる。ＶＲＡＭ４０のＡ領域４０Ａ及びＢ領域４０Ｂのうち、画像データが書き換えられている方の領域以外の領域から、書き込まれている画像データが読み出される。このようにしてＶＲＡＭ４０内の画像データが定期的に書き換えられ、その画像データから生成される映像信号が画像表示装置４８に供給されることにより、撮像中の映像がリアルタイムに画像表示装置４８に表示される。撮影者は、画像表示装置４８に表示される映像（スルームービー画）によって撮影画角を確認できる。
【００４５】
撮影ボタン４４が半押しされ、Ｓ１がオンすると、端末３はＡＥ及びＡＦ処理を開始する。即ち、ＣＣＤ５０から出力された画像信号はＡ／Ｄ変換後に画像入力コントローラ７６を介してＡＦ検出回路８２並びにＡＥ／ＡＷＢ検出回路８４に入力される。
【００４６】
ＡＥ／ＡＷＢ検出回路８４は、１画面を複数のエリア（例えば、１６×１６）に分割し、分割エリアごとにＲＧＢ信号を積算する回路を含み、その積算値をＣＰＵ３０に提供する。ＣＰＵ３０は、ＡＥ／ＡＷＢ検出回路８４から得た積算値に基づいて被写体の明るさ（被写体輝度）を検出し、撮影に適した露出値（撮影ＥＶ値）を算出する。求めた露出値と所定のプログラム線図に従い、絞り値とシャッタースピードが決定され、これに従いＣＰＵ３０はＣＣＤ５０の電子シャッター及びアイリスを制御して適正な露光量を得る。
【００４７】
また、ＡＥ／ＡＷＢ検出回路８４は、自動ホワイトバランス調整時には、分割エリアごとにＲＧＢ信号の色別の平均積算値を算出し、その算出結果をＣＰＵ３０に提供する。ＣＰＵ３０は、Ｒの積算値、Ｂの積算値、Ｇの積算値を得て、各分割エリアごとにＲ／Ｇ及びＢ／Ｇの比を求め、これらＲ／Ｇ、Ｂ／Ｇの値のＲ／Ｇ、Ｂ／Ｇの色空間における分布等に基づいて光源種判別を行い、判別された光源種に適したホワイトバランス調整値に従って、例えば、各比の値がおよそ１（つまり、１画面においてＲＧＢの積算比率がＲ：Ｇ：Ｂ≒１：１：１）になるように、ホワイトバランス調整回路のＲ，Ｇ，Ｂ信号に対するゲイン値（ホワイトバランス補正値）を制御し、各色チャンネルの信号に補正をかける。
【００４８】
本端末３におけるＡＦ制御は、例えば映像信号のＧ信号の高周波成分が極大になるようにフォーカシングレンズ（撮影レンズ６２を構成するレンズ光学系のうちフォーカス調整に寄与する移動レンズ）を移動させるコントラストＡＦが適用される。即ち、ＡＦ検出回路８２は、Ｇ信号の高周波成分のみを通過させるハイパスフィルタ、絶対値化処理部、画面内（例えば、画面中央部）に予め設定されているフォーカス対象エリア内の信号を切り出すＡＦエリア抽出部、及びＡＦエリア内の絶対値データを積算する積算部から構成される。
【００４９】
ＡＦ検出回路８２で求めた積算値のデータはＣＰＵ３０に通知される。ＣＰＵ３０は、レンズ駆動部６６を制御してフォーカシングレンズを移動させながら、複数のＡＦ検出ポイントで焦点評価値（ＡＦ評価値）を演算し、評価値が極大となるレンズ位置を合焦位置として決定する。そして、求めた合焦位置にフォーカシングレンズを移動させるようにレンズ駆動部６６を制御する。尚、ＡＦ評価値の演算はＧ信号を利用する態様に限らず、輝度信号（Ｙ信号）を利用してもよい。
【００５０】
撮影ボタン４４が半押しされ、Ｓ１オンによってＡＥ／ＡＦ処理が行われ、撮影ボタン４４が全押しされ、Ｓ２オンによって記録用の撮影動作がスタートする。Ｓ２オンに応動して取得された画像データは画像信号処理回路７８において輝度／色差信号（Ｙ／Ｃ信号）に変換され、ガンマ補正等の所定の処理が施された後、メモリ３８に格納される。
【００５１】
メモリ３８に格納されたＹ／Ｃ信号は、圧縮伸張回路８６によって所定のフォーマットに従って圧縮された後、カードリーダ／ライタ２２を介してメモリカード１００に記録することができる。例えば、静止画についてはJPEG（Joint Photographic Experts Group）形式で記録される。
【００５２】
モード選択スイッチ４２により再生モードが選択されると、メモリカード１００に記録されている最終の画像ファイル（最後に記録されたファイル）の圧縮データが読み出される。最後の記録に係るファイルが静止画ファイルの場合、この読み出された画像圧縮データは、圧縮伸張回路８６を介して非圧縮のＹＣ信号に伸張され、画像信号処理回路７８及びビデオエンコーダ８０を介して表示用の信号に変換された後、画像表示装置４８に出力される。これにより、当該ファイルの画像内容が画像表示装置４８の画面上に表示される。
【００５３】
静止画の一コマ再生中（動画の先頭フレーム再生中も含む）に、十字キーの右キー又は左キーを操作することによって、再生対象のファイルを切り換えること（順コマ送り／逆コマ送り）ができる。コマ送りされた位置の画像ファイルがメモリカード１００から読み出され、上記と同様にして静止画像や動画が画像表示装置４８に再生表示される。
【００５４】
また、カメラ付き携帯端末３は、送話音声を入力するマイクロフォン１２と、受話音声を出力するスピーカ１４と、マイクロフォン１２から入力された音声の符号化及び受信した音声の復号化を行う音声処理部２６と、サーバ１、ＰＣ２あるいは別の携帯端末３と移動体通信網を介して音声、画像その他のデータを通信する通信回路１５を備える。
【００５５】
カメラ付き携帯端末３は、公知のカメラ付き携帯電話やカメラ付きＰＤＡなどで構成できる。なお、音声の通話に関わる回路はなくてもよい。
【００５６】
図４は検査シート生成処理のフローチャートを示す。ＰＣ２はウェブブラウザでサーバ１のＵＲＬを指定することでサーバ１にアクセスし、ユーザアカウント情報（ＩＤとパスワードの組み合わせなど）をサーバ１に送信する。サーバ１は受信したユーザアカウント情報とＤＢ１ａに予め蓄積された正当なユーザアカウント情報とを照合し、その照合結果に基づいてＰＣ２を認証する。サーバ１は、認証完了後、ＰＣ２への指示（専用のボタンアイコンの押下など）があったことに応じてこの処理を開始する。この処理をサーバ１およびＰＣ２に実行させるプログラムはサーバ１およびＰＣ２の記憶媒体に記憶されている。
【００５７】
Ｓ１では、サーバ１はＰＣ２に対し、検査情報入力画面を送信する。ＰＣ２は当該画面をサーバ１から受信して表示し、当該画面に沿って検査情報の入力を受け付ける。検査情報の入力方式は任意であり、キーボードその他の操作装置によるテキスト入力や、リストボックスからの項目選択により行うことができる。例えば、工事物件名「○○ビル」、検査種類「配筋検査」、検査箇所「３Ｆ」、検査対象部材「柱」、検査ポイント「１」、・・・、「９」などを入力できる。ＰＣ２は操作装置から入力された検査情報を一時ＲＡＭに蓄える。検査対象部材は複数入力できる。
【００５８】
Ｓ２では、ＰＣ２は当該画面の指示に従って検査図面の入力を受け付ける。検査図面はＰＣ２上で動作するＣＡＤアプリケーションから出力されたものや、ＰＤＦ、ｊｐｅｇ画像など各種の規格に従っている。ＰＣ２に保存されている図面の中から所望の図面ファイルの選択を受け付け、選択された図面ファイルを検査図面としてもよい。ＰＣ２は入力された検査図面を一時ＲＡＭに蓄える。
【００５９】
またＰＣ２は、Ｓ１で入力された検査対象部材に、当該検査対象部材に相当する個々の部材図面および当該検査対象部材の存在する見取り図面上の位置を指定する情報である部
材関連情報の入力を受け付ける。すなわち、各検査対象部材は見取り図面上で固有の設置位置を有しており、かつそれぞれ固有の構造を有するため、本ステップでは、各検査対象部材の見取り図面上での設置位置を示す位置情報および各検査対象部材の構造を特定する情報である部材図面を含む部材関連情報を確保する。
【００６０】
Ｓ３では、ＰＣ２は当該画面の指示に従って検査内容の入力を受け付ける。検査内容とは、この検査においてどのような項目や内容をチェックするかを具体的に示す情報であり、これもデータ形式やフォーマットは任意である。例えば、「種類」、「数」、「ピッチ」などの文章を記述したテキストデータ、当該テキストデータに付随するチェックボックスのグラッフィックデータ、断面図の図面ファイルなどが挙げられる。ＰＣ２は入力された検査内容を一時ＲＡＭに蓄える。
【００６１】
Ｓ４では、ＰＣ２は一時ＲＡＭに蓄えられた検査情報と検査図面と部材関連情報と検査内容とを対応づけてサーバ１に送信する。
【００６２】
サーバ１は、このＰＣ２から送信された情報である検査データに基づいて検査シートを生成する。具体的には、まず、入力された検査情報を基に、検査情報ＤＢ１ａに予め保存されているテンプレートを読み出す。例えば、検査種類「配筋検査」および検査対象部材「柱」という情報から、「柱の配筋検査用テンプレート」を検査情報ＤＢ１ａから読み出す。あるいは、検査種類「電柱の検査用テンプレート」および検査対象部材「電柱」という情報から、「電柱検査用テンプレート」を検査情報ＤＢ１ａから読み出す。
【００６３】
テンプレートは、検査情報および検査図面の配置パターンと表示形式を規定している。
【００６４】
テンプレートは、ＸＭＬのようなマークアップ言語を用いて、検査情報に含まれる工事物件名、検査種類、検査箇所と伏図とを相互に参照可能にする第１のリンク情報、検査情報に含まれる各検査対象部材に対応する部材図面（断面図）と伏図上での各検査対象部材の位置情報とを相互に参照可能にする第２のリンク情報、各検査対象部材とそれらの検査結果とを相互に参照可能にする第３のリンク情報、同一の検査箇所に対応する複数の検査写真を相互に参照可能にする第４のリンク情報を含んでいる。
【００６５】
ただし、テンプレートは、検査シートと異なり、検査データの値は未設定である。またテンプレートは、検査レポートと異なり、検査結果と検査写真の値は未設定である。
【００６６】
サーバ１は、読み出したテンプレートの中の検査データに対応する項目（ＸＭＬタグなどで定義されたもの）の値を、ＰＣ２から登録された検査データで埋めることで検査シートを作成する。
【００６７】
見取り図はテンプレートの見取り図配置位置に埋められるが、サイズが合わない場合は見取り図を拡大、縮小または任意の範囲でトリミングした上で埋める。
【００６８】
部材図面が入力されている場合は、各部材図面に対応する見取り図面上の位置情報に基づいて、当該見取り図面上における各検査対象部材の位置情報がテンプレートに埋められる。この位置情報は見取り図面上でのＸＹ座標情報、あるいはその代替物、例えば通り芯番号で表現される。
【００６９】
検査内容もテンプレートの検査内容配置位置に埋められるが、部材図面の中に検査内容が含まれている場合はこの処理を省略できる。図面情報のデータ形式は、端末３で表示可能な形式（例えばＧＩＦ）に変換された上でテンプレートに埋められる。
【００７０】
サーバ１は、作成した検査シートをＤＢ１ａに保存する。
【００７１】
なお、上記の作成を処理するプログラムの実行主体がサーバ１でなくＰＣ２であってもよく、サーバ１でなくＰＣ２が検査シートを作成することもできる。テンプレートがサーバ１にある場合は、ＰＣ２がテンプレートをサーバ１に要求して送信させ、それを受信して、入力された検査情報などを埋め込んでいく。ＰＣ２で作成された検査シートはサーバ１に送信され、ＤＢ１ａに保存される。
【００７２】
そして、サーバ１は、検査情報、検査図面の埋められたテンプレートを検査シートとする。
【００７３】
テンプレートの規定する検査情報および検査図面のレイアウトは任意であるが、携帯端末３での表示レイアウトを規定し、またＰＣ２に接続されたプリンタ４での印刷レイアウトを規定することもできる。あるいは、携帯端末３での表示レイアウト、プリンタ４での印刷レイアウトは、それぞれ携帯端末３あるいはプリンタ４のアプリケーションが決定してもよい。
【００７４】
出来上がった検査シート（検査結果の埋め込まれていないもの）の内容をユーザに確認させるため、サーバ１は、作成された検査シートをプリンタ４で印刷可能なプリントデータに変換した上でプリンタ４に出力し、プリンタ４で検査シートを印刷させてもよい。
【００７５】
また、サーバ１は、出来上がった検査シートの内容を、現場責任者などの上位責任者のアカウント権限でサーバ１にログオンしたＰＣ２や携帯端末３のユーザに閲覧させるとともに、承認または否決の入力を受け付け、承認が入力されればＤＢ１ａに保存し、否決が入力されればＤＢ１ａに保存しないようにしてもよい。
【００７６】
図５は検査業務処理のフローチャートを示す。この処理をサーバ１および携帯端末３に実行させるためのプログラムはサーバ１や携帯端末３の記憶媒体に記憶されている。
【００７７】
Ｓ１１では、携帯端末３からサーバ１に検査員の権限でログインし、検査処理の開始を指令する。このとき、携帯端末３は検査員によって検査現場まで携帯されているものとする。携帯端末３から検査処理の開始を指令があった場合、サーバ１はＤＢ１ａに保存された検査シートをオープンして携帯端末３に送信する。もしＤＢ１ａに保存された検査シートが複数の場合、サーバ１は携帯端末３から選択された検査シートを送信する。あるいは、サーバ１は検査シートに検査実施日時を対応づけてＤＢ１ａに保存しておき、携帯端末３から検査処理の開始を指令があった日時と一致ないし最も近接する検査実施日時に対応する検査シートを携帯端末３に送信する。
【００７８】
また、サーバ１はログインしてきた検査員の名前や検査日時を検査シートに埋め込む検査情報に加えてもよい。検査日時はアクセス日時、検査員の名前はログインユーザ名で代替できる。
【００７９】
サーバ１は各種のデータを携帯端末３から受信してこれをオープンした検査シートと対応づけてＤＢ１ａに保存できる。携帯端末３からサーバ１へのデータ送信のタイミングは任意であり、携帯端末３からデータ入力があるごとでもよいし、特定のタイミング、例えば検査処理の終了時に一括送信してもよい。
【００８０】
携帯端末３は、サーバ１から受信した検査シートをＲＡＭなどの記憶媒体に保存し、保存された検査シートの画像データを映像信号に変換して画像表示装置４８に表示する。検査シートの表示の方法は任意である。例えば、各検査対象部材の設置位置が示された伏図を表示するビューワ画面でもよいし、検査ポイントが箇条書きに列挙されたリスト画面でもよく、さらにビューワ画面またはリスト画面の表示を操作装置への指示に応じて相互に切り替えてもよい。
【００８１】
図８は、サーバ１から受信した検査シートに含まれる伏図を携帯端末３の画像表示装置４８に表示したビューワ画面の一例を示す。
【００８２】
Ｓ１２では、携帯端末３は、画像表示装置４８に表示された伏図から、所望の検査対象部材の位置の選択を受け付ける。選択の方法は任意であり、操作手段４６の十字キーの押
下に従って伏図上に配置された検査対象部材間をカーソル移動し、所望のカーソル位置でＯＫキーが押下されたことに応じてカーソル位置のある検査対象部材を選択する。あるいは、伏図上に配置された各検査対象部材に対応する数字キーを押下させることで検査対象部材を選択する。あるいは、伏図上の各検査対象部材の存在位置のうち所望の検査対象部材の存在位置をタッチ指定することで検査対象部材を選択する。
【００８３】
複数存在する検査対象部材の中からどのような順序で検査対象部材を選択していくかも任意であるが、予め検査対象部材の順序を検査情報に含ませておき、その順序に従った選択しか受け付けないようにしてもよい。
【００８４】
Ｓ１３では、携帯端末３は、選択された検査対象部材に対応する検査内容と部材図面を画像表示装置４８に表示する。図６はその表示画面の例である。この画面では、柱の部材を示す断面図が具体的な検査項目（部材の種類、数、ピッチなど）とともに表示されている。また、各検査項目がＯＫかＮＧかを入力可能なチェックボックスも表示されている。また、選択された検査対象部材に対応した検査ポイントのパターン、ここでは柱の水平断面の周囲から柱を見込むような撮影方向を示す検査ポイント１〜９のうちいずれか１つを操作手段４６の十字キーで、あるいは図示しないタッチパネルへの押圧操作などで選択できる。検査ポイントは図示のものに限らない。例えば、検査対象部材が壁であれば、壁左側面、中央、右側面の３つから所望の１つを選択させることもできる。検査ポイントのうち検査済みのポイント、検査済みでないポイント、検査中のポイントを色分けして表示してもよい。例えば、検査済みのポイントは青、検査済みでないポイントは赤、検査中のポイントは黄で表示する。
【００８５】
Ｓ１４では、携帯端末３が、操作手段４６を介して検査ポイントの選択および検査結果の入力を受け付ける。図６の画面では、検査ポイント１〜９のうちいずれか１つの選択入力と、部材の種類、数、ピッチがＯＫかＮＧかを示すチェックの入力を受け付けることができる。その他、検査結果を操作装置からテキスト入力させてもよいし、携帯端末３のボイスメモ機能を利用して検査者の発話音声を検査結果あるいは改修指示の内容を入力させてもよい。
【００８６】
Ｓ１５では、携帯端末３が、選択された検査ポイントから見た検査対象部材の現状を被写体とする画像の撮影の指示を撮影ボタン４４を介して受け付け、撮影指示に応じて開始した撮影によってメモリ３８に取得された画像である検査写真を、検査シート、選択された部材および検査ポイントと対応づけて再びメモリ３８に保存する。
【００８７】
Ｓ１６では、携帯端末３が、得られた検査写真を画像表示装置４８に表示し、検査写真の撮影を完了してよいか否かの選択を操作手段４６を介して受け付ける。完了する旨の選択が入力された場合はＳ１７に進み、完了しない旨の選択が入力された場合はＳ１５に戻って撮影を再び行う。同一の部材かつ同一の検査ポイントに対応する検査写真は単数でも複数でもよい。なお、検査員が各検査ポイントに対応する検査写真を１つ１つ撮影して目視確認することを繰り返すよりも、検査員が同一の検査ポイントに対応する撮影を複数撮影しておいて後から必要な画像のみを選別する方が検査効率は上がる。
【００８８】
Ｓ１７では、携帯端末３は、全ての検査対象部材に対応する検査結果の入力および検査写真の撮影が終わった旨の確認入力を操作手段４６を介して受け付けたか否かに応じて、全ての検査対象部材に対応する検査写真の撮影が終わったか否かを判断する。Ｙｅｓと判断された場合はＳ１８に進む。Ｎｏと判断された場合はＳ１２に戻って選択された検査ポイントに対応する検査内容の表示、検査結果の入力、検査写真の撮影を繰り返し、各検査ポイントに対応する検査結果および検査写真を得る。
【００８９】
Ｓ１８では、各検査ポイントの検査結果を画像表示装置４８に表示する。その表示の形式は任意である。また、図５では検査結果の表示は本処理の最後の処理として示しているが、この処理は検査開始後の任意のタイミングで行うことができる。例えば、各検査ポイントでの検査写真の終了の都度検査結果を表示することも可能である。あるいは、現在まで終了した検査結果の状況を、ユーザからの指示に応じて一覧表示してもよい。この際、携帯端末３は、まだ検査結果の入力および検査写真の撮影が終了していない検査対象部材が残っている場合、その検査ポイントを示して検査が完了していない旨を表示画面あるいは音声で通知すれば、検査漏れを防ぐことができる。
【００９０】
あるいは、携帯端末３は、全ての検査対象部材に対応する検査写真の撮影が終わったことに応じ、予め設定された通信相手方（サーバ１、ＰＣ２、他の携帯端末３）に対して検査完了を通知するメールを送信してもよい。特に、ある対象部材に対して検査結果ＮＧが入力された場合、その検査結果ＮＧに対応する対象部材および検査ポイントと検査結果の内容と検査写真とをセットにして、操作手段４６から予め指定された施工担当者の携帯端末３やＰＣ２に改修指示を電子メールその他のデータ通信により通知してもよい。
【００９１】
図７は再検査処理のフローチャートを示す。この処理を携帯端末３に実行させるためのプログラムは携帯端末３の記憶媒体に記憶されている。この処理は、検査結果ＮＧの検査結果が入力された検査対象部材が少なくとも１つ存在すれば開始することができる。本処理の開始のタイミングは任意であり、検査結果ＮＧの検査結果が入力されたことに応じて開始してもよいし、検査業務処理の終了直後に開始してもよい。
【００９２】
Ｓ２１では、携帯端末３は、操作手段４６を介して、検査結果ＮＧの検査結果が入力された検査対象部材の中から所望の検査対象部材の選択を受け付ける。検査結果ＮＧの検査対象部材を示すグラフィックを画像表示装置４８の伏図上に示してもよい。これは上述のＳ１２と同様であるが、選択できる検査対象部材を検査結果ＮＧの検査結果に対応するものに限ることで、どこが再検査の対象であるかを自動的に示して検査対象部材の選択を支援する。
【００９３】
Ｓ２２では、携帯端末３は、選択された検査対象部材に対応する部材図面および検査内容を画像表示装置４８に表示し、選択された検査対象部材に対応する部材図面の検査ポイントの選択を操作手段４６を介して受け付ける。
【００９４】
Ｓ２３では、携帯端末３は、操作手段４６を介して、再検査結果の入力と、再検査された部材の現状を被写体とする撮影の指示を受け付ける。ここで、前の検査時と同内容（同位置、同アングル）の検査写真を撮影して改修前後の状態を容易に比較できるようにするため、次の処理を行う。まず、撮影開始の指示に応じて、選択された検査対象部材に対応する前回撮影された検査写真を、スルームービー画が透過するように重畳して画像表示装置４８に表示する。
【００９５】
これは例えば、まず、前回の検査写真からエッジ検出などで被写体の輪郭、構造線、消失点のような基本的構図情報を検出する。基本的構図情報の検出手法は公知のものが採用できる。次に、前回の検査写真から検出された構図情報以外を消去し、残った画像情報の輝度レベルを０と２５５の間の所望の輝度レベル（例えば１００）にする。そうすると基本的構図情報は半透明となる。この半透明な基本的構図情報をスルームービー画に重畳する。ここでさらに、スルームービー画像から基本的構図情報を検出し、スルームービー画像および前回の検査写真から検出された同一の構図情報が同一の座標に位置するような画角調整を指示するガイド映像（双方の構図情報が一致するような画角調整方向を示す矢印アイコンや双方の構図情報が一致するようなズーム倍率をインジケータ上で示すアイコン）を重畳する。こうすると、検査者は前回と同一の構図で再検査対象の部材を撮影するような画角調整が容易になる。
【００９６】
あるいは、前回の検査写真とスルームービー画を縦方向あるいは横方向に並べて画像表示装置４８に表示してもよい。
【００９７】
Ｓ２４では、携帯端末３は、検査シートと再検査の結果と新たに撮影した検査写真とを対応づけてメモリ３８に保存する。前回の検査写真は消去してもよい。保存された検査結果と検査写真は、携帯端末３のユーザＩＤと対応づけられてサーバ１に送信され、サーバ１はこれを受信して、検査シートと検査結果と検査写真とを対応づけてＤＢ１ａに保存する。
【００９８】
サーバ１は、検査シートのテンプレートに、この検査結果と検査写真そのもの、あるいはこの検査結果と検査写真に代替する情報（ハイパーリンクなど）を埋め込んだ上、検査結果と検査写真が埋め込まれた検査シートである検査レポートを保存してもよい。例えば、サーバ１は、携帯端末３に送られた検査シートのテンプレートにサーバ１に組み込まれたウェブサーバが公開するこの検査結果と検査写真に対してアクセスするリンク情報（ＵＲＬなどで記述）を埋め込んで保存してもよい。
【００９９】
サーバ１は、保存された検査レポートを、プリンタ４あるいはＰＣ２のディスプレイあるいは携帯端末３の画像表示装置４８を介して外部出力する。
【０１００】
検査レポートの出力方式は任意である。例えば、サーバ１は、ＸＳＬＴなどの所定のレイアウト変換ルールに従って検査結果の反映されたＸＭＬデータの検査シートを帳票形式あるいは画面表示形式にレイアウトしかつＰＤＦのような出力データに変換して保存する。サーバ１は、ＰＣ２からの要求に応じ、このレイアウトされた出力データである検査レポートをＰＣ２に送信する。ＰＣ２は、サーバ１から受信した検査レポートを、プリンタ４にプリントアウトしたりＰＣ２に接続されたディスプレイあるいは携帯端末３の画像表示装置４８に表示したりする。
【０１０１】
図９はＸＭＬタグで記述されたテンプレート／検査シート／検査レポートの項目の一例、図１０〜１４はこのタグで定義される項目の説明を示す。
【０１０２】
テンプレート／検査シート／検査レポートの項目はＸＭＬタグで定義されることができる。この定義項目としては、定点検査または任意検査の検査種別、オリジナル伏図、オリジナル断面図、あるいはそれらの縮小画像を含む図面情報の種類、幅、高さ、ファイル名、保存パス、検査ポイントの座標、各検査ポイントに対応する検査結果、検査写真撮影ポイントの識別番号、ＸＹ座標、撮影方向、検査写真に対応づけられる図面情報上の位置情報および検査写真のファイル名、検査写真の保存先のパス、撮影日時などが挙げられる。
【０１０３】
図１０に示す「name」、「floor」、「material」属性は、基本情報として入力される。「type」属性は、配筋検査など予め決まった箇所（定点）に対する検査である定点検査、あるいは、電信柱やプラントなど検査の場所が決まっていない対象物（任意点）に対する検査である任意点検査を示す値が入力されうる。「type」も基本情報として入力されてもよい。「status」属性は、検査の実施の有無および結果に応じて端末３から入力されている。
【０１０４】
図１１の「name」は、ログイン情報の一部として用いられる現場名であり予めサーバ１に登録されている。
【０１０５】
図１２の各属性は、検査ポイントの座標、部材の通り芯番号、ステータスなどを示す。任意点検査の場合、部材の通り芯番号の属性は不要である。
【０１０６】
図１３の各属性は、検査写真撮影ポイントの識別番号、ＸＹ座標、撮影方向などを示す。任意点検査の場合、識別番号は図面情報上の位置座標情報に置き換わる。
【０１０７】
図１４の各属性は、検査写真の識別情報、幅、高さ、ファイル名、保存先のパス、撮影日時などを示す。この検査写真は端末３で撮影されたものである。
【０１０８】
検査シート内のタグで定義される各項目の各属性に対応する値は、端末３から取得された検査結果と検査写真に応じて設定される。ＰＣ２は、検査レポート作成画面（図１５参照）上に、当該検査シートに基づいた所望の検査箇所とそれに対応する検査写真および検査結果を表示する。ＰＣ２は、当該画面を介して選択された、当該検査シートの伏図上の所望の検査箇所に、所望の検査コメントなどの検査結果と所望の検査写真が対応づけられた検査レポートの作成を行う。ＰＣ２は、作成した検査レポートのファイル、あるいは印刷出力を、検査レポート出力画面（図１６参照）を介して受け付ける。
【０１０９】
図１５は検査レポート作成画面の一例を示す。
【０１１０】
図１５に示すように、検査レポート作成画面は、検査ポイント選択領域Ｑ１、検査ポイントアイコンＰ１、全検査写真表示領域Ｑ２、検査写真撮影枚数表示領域Ｐ２、検査写真一覧Ｐ３、追加ボタンＰ４、検査ポイント詳細表示領域Ｑ３、検査写真拡大表示領域Ｑ４、追加／削除ボタンＰ５、検査レポート作成領域Ｑ５、報告用検査写真一覧Ｐ６、削除ボタンＰ７、完了ボタンＰ８を有する。
【０１１１】
検査ポイント選択領域Ｑ１は、検査データに含まれる伏図（検査マップ）とそれに対応する１または複数の検査ポイントを検査ポイントアイコンＰ１にて表示し、当該検査ポイントに対応する検査ポイントアイコンＰ１で示された検査ポイントから所望の検査ポイントをクリックなどで選択するための領域である。
【０１１２】
全検査写真表示領域Ｑ２は、端末３から取得済みの検査写真のうち、検査ポイント選択領域Ｑ１で選択された検査ポイントに対応づけられた全ての検査写真を表示する領域である。
【０１１３】
検査写真撮影枚数表示領域Ｐ２は、検査ポイント選択領域Ｑ１で選択された検査ポイントに対応づけられた全ての検査写真の枚数を表示する領域である。
【０１１４】
検査写真一覧Ｐ３は、検査ポイント選択領域Ｑ１で選択された検査ポイントに対応づけられた全ての検査写真を一覧表示する領域である。
【０１１５】
追加ボタンＰ４は、検査写真一覧Ｐ３に表示された検査写真のうち、検査レポートに記載あるいは追記すべき検査写真を指定するためのＧＵＩである。
【０１１６】
検査ポイント詳細表示領域Ｑ３は、検査ポイント選択領域Ｑ１で選択された検査ポイントに対応づけられた詳細情報を表示する領域である。この詳細情報には、検査データに含まれる検査ポイント番号などの検査情報や、端末３から取得済みの検査結果やコメントなどが含まれうる。
【０１１７】
検査写真拡大表示領域Ｑ４は、全検査写真表示領域Ｑ２および検査レポート作成領域Ｑ５で選択された検査写真を表示する領域である。
【０１１８】
追加／削除ボタンＰ５は、全検査写真表示領域Ｑ２で選択された検査写真を表示している場合、検査レポートに当該検査写真を追加するためのＧＵＩである。また、追加／削除ボタンＰ５は、検査レポート作成領域Ｑ５で選択された検査写真を表示している場合、検査レポートから当該検査写真を削除するためのＧＵＩである。
【０１１９】
検査レポート作成領域Ｑ５は、検査レポートに記載する検査写真を決定する領域である。
【０１２０】
報告用検査写真一覧Ｐ６は、検査レポートに記載する検査写真を一覧表示する領域である。
【０１２１】
削除ボタンＰ７は、検査レポートから検査写真を削除するボタンである。
【０１２２】
完了ボタンＰ８は、検査レポートの作成を完了し、検査レポートの登録および保存を実行するためのＧＵＩである。
【０１２３】
ユーザは、所望の検査ポイントを選択し、選択した検査ポイントに対応する全ての検査写真のうち所望の検査写真を選択し、選択した検査写真とその検査写真に対応する検査結果などを検査レポートとして保存できる。
【０１２４】
従来では、ユーザは多数の検査写真から検査レポート用の検査写真を選別し、選別した検査写真と検査結果とを対応づけたレイアウトを表計算ソフトなどを使って手動で行う必要があった。しかし、ユーザはこの画面から、所望の検査ポイントに対応する検査写真の中から検査レポートに記載すべき所望の検査写真を選択し、選択した検査写真とそれに対応する検査ポイントの情報と検査結果とを検査レポートとして保存することができる。
【０１２５】
図１６は検査レポート出力画面の一例を示す。
【０１２６】
図１６に示すように、検査レポート出力画面は、検査レポート表示領域Ｒ１、ページネートＲ２、検査レポート編集ボタンＲ３、ファイル出力ボタンＲ４、印刷ボタンＲ５を有する。検査レポート表示領域Ｒ１は、作成された検査レポートを表示する領域である。ページネートＲ２は、作成された検査レポートが複数ページに渡る場合のページ送り表示の指示を受け付けるＧＵＩである。ファイル出力ボタンＲ４は、検査レポートを所定のファイル形式、例えば表計算ファイル形式で記憶媒体に出力する指示を受け付けるためのＧＵＩである。この際、ファイル名とファイル保存場所を指定するダイアログボックスが開かれ、ここから所望のファイル名とファイル保存場所を指定することができる。保存が完了すると検査レポートの編集は不可となる。印刷ボタンＲ５は、検査レポートの印刷の実行指示を受け付けるためのＧＵＩである。
【０１２７】
以上のように、本実施形態に係る検査システムでは、ＰＣ２で事前に作成した検査シートに含まれる伏図と部材図面を携帯端末３で閲覧しながら所望の検査ポイントを指定し、指定された検査ポイントに対応する検査写真を携帯端末３で撮影し、両者を対応づけたデータである検査済みチェックシートをサーバ１に保存することができる。そして、サーバ１に保存された検査済みチェックシートは、帳票形式に変換して印刷したり表示したりできる。このため、検査シート作成、検査結果の入力、検査写真の撮影、帳票の出力という一連の検査作業を、サーバ１、ＰＣ２、携帯端末３を用いて容易に行える。特に、検査ポイントの入力、検査結果の入力および検査写真の撮影、あるいは再撮影は携帯端末３を用いて行えるため、検査現場での携帯性と操作性が高い。
【０１２８】
なお、本システムの用途は、建設現場の検査時の図面確認（図１７参照）、電柱の保守点検（図１８参照）、プラントの保守点検（図１９参照）など、幅広い用途が考えられる。
【符号の説明】
【０１２９】
１：サーバ、２：パソコン、３：カメラ付き携帯端末、４：プリンタ
【図１】
0005491243.tif 000002
【図２】
0005491243.tif 000003
【図３】
0005491243.tif 000004
【図４】
0005491243.tif 000005
【図５】
0005491243.tif 000006
【図６】
0005491243.tif 000007
【図７】
0005491243.tif 000008
【図８】
0005491243.tif 000009
【図９】
0005491243.tif 000010
【図１０】
0005491243.tif 000011
【図１１】
0005491243.tif 000012
【図１２】
0005491243.tif 000013
【図１３】
0005491243.tif 000014
【図１４】
0005491243.tif 000015
【図１７】
0005491243.tif 000016
【図１５】
0005491243.tif 000017
【図１６】
0005491243.tif 000018
【図１８】
0005491243.tif 000019
【図１９】
0005491243.tif 000020